(57)【要約】【課題】防災性を維持した状態で、対象者にあらゆる情報を提供することが可能な表示システムを提供すること。【解決手段】  監視領域の内部の対象者に視認させる画像を表示する表示部１３を備える表示装置１であって、監視領域の内部に設けられている表示装置１と、所定の状態になるまでは、宣伝広告画像を表示部１３に表示させ、所定の状態になった場合に、防災に関連する防災画像を表示部１３の少なくとも一部において宣伝広告画像の代わりに表示させる表示制御部３３２と、を備え、表示制御部３３２は、監視領域の防災設備の操作手順を示す画像を防災画像として表示させ、また、監視領域の防災設備を遠隔操作するための画像を防災画像として表示させ、監視領域の防災設備を遠隔操作するための画像を防災画像として表示させた場合に、表示装置１を介して監視領域の防災設備を遠隔操作可能となる。【選択図】図２
2019079294.tif 000002
【特許請求の範囲】
【請求項１】
監視領域の内部の対象者に視認させる画像を表示する表示面を備える表示手段であって、前記監視領域の内部に設けられている前記表示手段と、
所定の状態になるまでは、第１画像を前記表示面に表示させ、前記所定の状態になった場合に、防災に関連する第２画像を前記表示面の少なくとも一部において前記第１画像の代わりに表示させる表示制御手段と、
を備える表示システム。
【請求項２】
前記表示制御手段は、前記監視領域の防災設備の操作手順を示す画像を前記第２画像として表示させる、
請求項１に記載の表示システム。
【請求項３】
前記表示制御手段は、前記監視領域の防災設備を遠隔操作するための画像を前記第２画像として表示させ、
前記監視領域の防災設備を遠隔操作するための画像を前記第２画像として表示させた場合に、当該表示手段を介して前記監視領域の防災設備を遠隔操作可能となる、
請求項１又は２に記載の表示システム。
【請求項４】
前記表示制御手段は、前記監視領域で異常が発生した場合に前記所定の状態になったものとして、前記監視領域で異常が発生した場合に前記監視領域の内部の対象者が行うべき事項を示す画像を前記第２画像として表示させる、
請求項１から３のいずれか一項に記載の表示システム。
【請求項５】
前記表示手段は、前記監視領域の内部の複数の位置に設けられており、
前記表示システムは、前記監視領域で異常が発生した場合に、当該異常の発生位置を特定する発生位置特定手段、を備え、
前記表示制御手段は、前記監視領域で異常が発生した場合に前記所定の状態になったものとして、複数の前記表示手段に表示される前記第２画像を、複数の当該表示手段が設けられている位置と、前記発生位置特定手段が特定した前記発生位置とに基づいて生成し、生成した前記第２画像を表示させる、
請求項１から４のいずれか一項に記載の表示システム。
【発明の詳細な説明】
【技術分野】
【０００１】
本発明は、表示システムに関する。
【背景技術】
【０００２】
従来、建物内で火災発生時に避難を誘導する避難誘導システムが提案されていた（例えば、特許文献１参照）。
【０００３】
この避難誘導システムにおいては、火災が発生していない場合に、建物の避難口の方向を予め定められた通りに固定して表示装置に表示し、火災が発生した場合に、発生した火災に応じた最適な避難口の方向及び当該避難口までの距離を表示装置に表示していた。
【先行技術文献】
【特許文献】
【０００４】
【特許文献１】特開２０１３−２４２６８９号公報
【発明の概要】
【発明が解決しようとする課題】
【０００５】
しかしながら、特許文献１の技術においては、例えば、防災に関する避難の情報を表示装置にて表示するのみであったので、建物内の対象者に提供できる情報の種類に限りがあった。このために、防災性を維持した状態で、建物内の対象者にあらゆる情報を提供する観点において改善の余地があった。
【０００６】
本発明は上記問題に鑑みてなされたもので、防災性を維持した状態で、対象者にあらゆる情報を提供することが可能な表示システムを提供することを目的とする。
【課題を解決するための手段】
【０００７】
上述した課題を解決し、目的を達成するために、請求項１に記載の表示システムは、監視領域の内部の対象者に視認させる画像を表示する表示面を備える表示手段であって、前記監視領域の内部に設けられている前記表示手段と、所定の状態になるまでは、第１画像を前記表示面に表示させ、前記所定の状態になった場合に、防災に関連する第２画像を前記表示面の少なくとも一部において前記第１画像の代わりに表示させる表示制御手段と、を備える。
【０００８】
また、請求項２に記載の表示システムは、請求項１に記載の表示システムにおいて、前記表示制御手段は、前記監視領域の防災設備の操作手順を示す画像を前記第２画像として表示させる。
【０００９】
また、請求項３に記載の表示システムは、請求項１又は２に記載の表示システムにおいて、前記表示制御手段は、前記監視領域の防災設備を遠隔操作するための画像を前記第２画像として表示させ、前記監視領域の防災設備を遠隔操作するための画像を前記第２画像として表示させた場合に、当該表示手段を介して前記監視領域の防災設備を遠隔操作可能となる。
【００１０】
また、請求項４に記載の表示システムは、請求項１から３の何れか一項に記載の表示システムにおいて、前記表示制御手段は、前記監視領域で異常が発生した場合に前記所定の状態になったものとして、前記監視領域で異常が発生した場合に前記監視領域の内部の対象者が行うべき事項を示す画像を前記第２画像として表示させる。
【００１１】
また、請求項５に記載の表示システムは、請求項１から４の何れか一項に記載の表示システムにおいて、前記表示手段は、前記監視領域の内部の複数の位置に設けられており、前記表示システムは、前記監視領域で異常が発生した場合に、当該異常の発生位置を特定する発生位置特定手段、を備え、前記表示制御手段は、前記監視領域で異常が発生した場合に前記所定の状態になったものとして、複数の前記表示手段に表示される前記第２画像を、複数の当該表示手段が設けられている位置と、前記発生位置特定手段が特定した前記発生位置とに基づいて生成し、生成した前記第２画像を表示させる。
【発明の効果】
【００１２】
請求項１に記載の表示システムによれば、所定の状態になるまでは、第１画像を表示させ、所定の状態になった場合に、防災に関連する第２画像を表示させることにより、例えば、所定の状態になった場合に第２画像にて防災性を向上させることができ、また、所定の状態になるまでは防災に関連する情報以外の情報を第１画像にて表示することができるので、防災性を維持した状態で、対象者にあらゆる情報を提供することが可能となる。また、例えば、所定の状態になるまでに宣伝広告等のユーザの注意を引き付ける画像を第１画像として表示させることにより、所定の状態になるまでの間に表示手段の位置をユーザに意識させることができるので、所定の状態になった場合に表示させる第２画像をユーザに確実に視認させることができ、防災性を向上させることが可能となる。
【００１３】
請求項２に記載の表示システムによれば、監視領域の防災設備の操作手順を示す画像を第２画像として表示させることにより、例えば、防災設備をユーザに迅速且つ確実に操作させることができるので、防災性を一層向上させることが可能となる。
【００１４】
請求項３に記載の表示システムによれば、防災設備を遠隔操作するための画像を第２画像として表示させた場合に防災設備を遠隔操作可能となることにより、例えば、防災設備から離れた場所にて防災設備を操作することができるので、防災設備を迅速に操作することができるので、防災性を一層向上させることが可能となる。
【００１５】
請求項４に記載の表示システムによれば、監視領域で異常が発生した場合に監視領域の内部の対象者が行うべき事項を示す画像を第２画像として表示させることにより、例えば、異常が発生した場合に対象者が混乱してしまうことを防止することができるので、防災性を更に一層向上させることが可能となる。
【００１６】
請求項５に記載の表示システムによれば、第２画像を、複数の表示手段が設けられている位置と、異常の発生位置とに基づいて生成し、生成した第２画像を表示させることにより、例えば、表示手段の位置と異常の発生位置とを考慮して第２画像を生成することができるので、第２画像を適切に生成することができ、防災性を更に一層向上させることが可能となる。
【図面の簡単な説明】
【００１７】
【図１】本実施の形態に係る防災システムの設置例の図である。
【図２】防災システムのブロック図である。
【図３】設備情報を例示した図である。
【図４】表示制御処理のフローチャートである。
【図５】宣伝広告画像を例示した図である。
【図６】第１防災画像を例示した図である。
【図７】第２防災画像を例示した図である。
【図８】火災が発生した場合の監視領域を示す図である。
【発明を実施するための形態】
【００１８】
以下に、本発明に係る表示システムの実施の形態を図面に基づいて詳細に説明する。なお、この実施の形態によりこの発明が限定されるものではない。
【００１９】
〔実施の形態の基本的概念〕
まずは、実施の形態の基本的概念について説明する。実施の形態は、概略的に、表示システムに関するものである。
【００２０】
表示システムは、表示手段に画像を表示させるシステムであり、当該表示システムの少なくとも一部は、例えば、画像を表示させる専用システム、防災設備の装置に対して画像を表示させる機能を実装することにより実現されるシステム、あるいは、防災設備の装置以外の汎用的に用いられる装置（一例としては、センター装置、パーソナルコンピュータ、携帯端末等）に対して画像を表示させる機能を実装することにより実現されるシステム等を含む概念である。また、表示システムは、例えば、表示手段、及び表示制御手段を備える。
【００２１】
ここで、「表示手段」とは、監視領域の内部の対象者に視認させる画像を表示する表示面を備える手段であって、監視領域の内部に設けられている手段であり、例えば、任意の情報を表示するものであり、例えば、平面ディスプレイやプロジェクタ等によって画像又は文字等を表示する表示装置等を含む概念である。
【００２２】
また、「防災設備」とは、防災のために用いられる設備であって、監視領域の防災のために用いられる設備であり、例えば、感知器、受信機、発信機、消火器、消火栓、防災用の電話機、及びスプリンクラー等を含む概念である。「監視領域」とは、防災設備による防災の対象となっている領域であり、具体的には、一定の広がりを持った空間であり、例えば、建築物のフロア（例えば、１階部分、２階部分等）、建築物の部屋（例えば、１階の部屋Ａ、１階の部屋Ｂ、２階の部屋Ｃ等）、廊下、階段等を含む概念である。
【００２３】
また、「感知器」とは、監視領域の異常を検出（判定）する機器であって、受信機との間で監視領域の防災に関する通信を行う機器であり、具体的には、監視領域の煙やガス等の検出対象を検出することにより、火災、又はガス漏れ等の異常を検出する機器であり、例えば、煙感知器、熱感知器、火災感知器及びガス感知器等を含む概念である。なお、「監視領域の異常」とは、監視領域の状態が通常の状態とは異なっていることであり、例えば、火災発生、ガス漏れ発生等を含む概念である。また、「受信機」とは、監視領域の異常を警報する機器であり、具体的には、火災、又はガス漏れ等の異常を警報する機器であって、感知器が異常を検出した場合に警報音又は警報画像を出力したり、移報信号を出力したりする機器であり、例えば、感知器と接続されている機器であり、Ｒ型受信機又はＰ型受信機等含む概念である。
【００２４】
また、「表示制御手段」とは、所定の状態になるまでは、第１画像を表示面に表示させ、所定の状態になった場合に、監視領域の防災設備を用いて行う防災に関連する第２画像を表示面の少なくとも一部において第１画像の代わりに表示させる手段である。
【００２５】
なお、「所定の状態」とは、予め定められた状態（場合）であって、任意の状態であり、例えば、監視領域の異常を検出した場合（つまり、監視領域で異常が発生した場合）、任意の手法でユーザを認証した場合、所定の時間（例えば、１日における午後６時００分等）になった場合等を含む概念である。なお、監視領域の異常を検出する具体的な手法は任意であるが、例えば、感知器からの発報信号に基づいて検出することができる。なお、「発報信号」とは、感知器が監視領域の異常を検出した場合に、当該異常の検出を報知するために感知器が出力する信号である。
【００２６】
「第１画像」とは、少なくとも、所定の状態になるまでに表示される画像であり、具体的には、第２画像とは異なる画像であり、例えば、第２画像とは異なる種類の画像であり、一例としては、宣伝広告、天気予報、監視領域に関する情報（例えば、監視領域の施設を案内する案内情報等）等を含む任意の情報を表示する画像を含む概念である。なお、「監視領域の施設を案内する案内情報」とは、施設を案内する情報であり、例えば、施設の種別（例えば、衣料品店、レストラン等）、施設の場所、及び施設にて売られている物等を特定する情報を含む概念である。「第２画像」とは、少なくとも、所定の状態になった場合に表示される画像であり、具体的には、防災に関連する画像であり、例えば、監視領域の防災設備の操作手順を示す画像、監視領域の防災設備を遠隔操作するための画像、監視領域で異常が発生した場合に監視領域の内部の対象者が行うべき事項を示す画像、防災設備の装置に表示されている画像、異常を特定する画像（例えば、異常の発生又は発生位置を特定する画像等）、及び避難に関して特定する画像（例えば、避難路、避難口、避難方向等を特定する画像）等を含む概念である。なお、「対象者」とは、監視領域の内部にいる者であり、例えば、人や動物（例えば、犬や猫等）等を含む概念である。
【００２７】
そして、以下に示す実施の形態では、「監視領域」が「建築物の１階部分」であり、「所定の状態」が「監視領域の異常を検出した場合（つまり、監視領域で異常が発生した場合）」であり、「監視領域の異常」が「火災」であり、「第１画像」が「宣伝広告の情報を表示する画像」（以下、宣伝広告画像）であり、「第２画像」が、「監視領域の防災設備を遠隔操作するための画像」、「監視領域で異常が発生した場合に監視領域の内部の対象者が行うべき事項を示す画像」、「異常を特定する画像」、及び「避難に関して特定する画像」（以下、これらを、防災画像）であり、表示システムが「センター装置」及び「表示装置」によって実現されている場合について説明する。
【００２８】
［実施の形態の具体的内容］
次に、実施の形態の具体的内容について説明する。
【００２９】
（構成）
まず、本実施の形態に係る防災システムの構成について説明する。図１は、本実施の形態に係る防災システムの設置例の図であり、図２は、防災システムのブロック図である。
【００３０】
なお、図１は、建物（建築物）の１階部分を天井側から見た図である。また、図２の表示装置１、及び感知器２は、図１の表示装置１１１〜１１７、及び感知器２１１〜２１７を総称したものであり、以下では、表示装置１１１〜１１７、及び感知器２１１〜２１７各々について区別して説明する場合を除いて、総称を用いて説明する。
【００３１】
図２の防災システム１００は、表示システムであり、例えば、表示装置１、感知器２、センター装置３、及び受信機４を備える。
【００３２】
（構成−表示装置）
表示装置１は、監視領域の内部の複数の位置に設けられて複数の表示手段であり、例えば、図１の表示装置１１１〜１１７等である。図２の表示装置１は、例えば、通信部１１、操作部１２、表示部１３、記録部１４、及び制御部１５を備える。
【００３３】
（構成−表示装置−通信部）
通信部１１は、ネットワークを介して外部装置（例えば、センター装置３及び受信機４等）との間で通信するための通信手段である。この通信部１１の具体的な種類や構成は任意であるが、例えば、公知の通信回路等を用いて構成することができる。
【００３４】
（構成−表示装置−操作部）
操作部１２は、ユーザから各種操作入力を受け付ける操作手段である。この操作部１２の具体的な種類や構成は任意であるが、例えば、ユーザの指等で押圧されることにより、当該ユーザから各種操作入力を受け付けるタッチパッドとして構成されており、一例としては、抵抗膜方式や静電容量方式等による操作位置検出手段を備えた公知のものを用いることができる。
【００３５】
（構成−表示装置−表示部）
表示部１３は、制御部１５の制御に基づいて情報を表示する表示面である。この表示部１３の具体的な種類や構成は任意であるが、例えば、公知の液晶ディスプレイや有機ＥＬディスプレイの如きフラットパネルディスプレイ（つまり、平面ディスプレイ）等を用いて構成することができる。なお、上記の操作部１２としてのタッチパッドと表示部１３としてのディスプレイとをタッチパネルとして一体形成しているものとして、以下説明する。
【００３６】
（構成−表示装置−記録部）
記録部１４は、表示装置１の動作に必要なプログラム及び各種のデータを記録する記録手段であり、例えば、外部記録装置としてのハードディスク（図示省略）を用いて構成されている。ただし、ハードディスクに代えてあるいはハードディスクと共に、磁気ディスクの如き磁気的記録媒体、又はＤＶＤやブルーレイディスクの如き光学的記録媒体を含む、その他の任意の記録媒体を用いることができる（他の装置の記録部も同様とする）。
【００３７】
また、この記録部１４には、例えば、表示装置１を一意に識別するための情報である表示装置識別情報（以下、識別情報を「ＩＤ」と称する）（図面では、表示装置ＩＤと図示）が記録されている。なお、ここでは、例えば、図１の表示装置１１１〜１１７の記録部１４には各々、表示装置ＩＤとしてＩＤ１１１〜ＩＤ１１７が格納されていることとする。
【００３８】
（構成−表示装置−制御部）
制御部１５は、表示装置１を制御する制御手段であり、具体的には、ＣＰＵ、当該ＣＰＵ上で解釈実行される各種のプログラム（ＯＳなどの基本制御プログラムや、ＯＳ上で起動され特定機能を実現するアプリケーションプログラムを含む）、及びプログラムや各種のデータを格納するためのＲＡＭの如き内部メモリを備えて構成されるコンピュータである（他の装置の制御部も同様とする）。特に、実施の形態に係る制御プログラムは、任意の記録媒体又はネットワークを介して表示装置１にインストールされることで、制御部１５の各部を実質的に構成する。なお、この制御部１５の各部により行われる処理については、後述する。
【００３９】
（構成−感知器）
感知器２は、監視領域の複数の位置に設けられている複数の感知器２１１〜２１７であって、監視領域の異常（具体的には、火災）を相互に独立して判定する複数の感知器２１１〜２１７である。この感知器２は、センター装置３及び受信機４等とネットワークを介して通信するものであり、公知の感知器と同様のものを用いることができるので、詳細の説明は省略する。なお、図１の感知器２１１〜２１７各々の不図示の記録部には、感知器２１１〜２１７を一意に識別するための感知器ＩＤとしてＩＤ２１１〜ＩＤ２１７が格納されていることとする。
【００４０】
（構成−センター装置）
センター装置３は、例えば、防災システム１００を管理する管理センター等に設けられており、一例としては、通信部３１、記録部３２、及び制御部３３を備える。
【００４１】
（構成−センター装置−通信部）
通信部３１は、ネットワークを介して外部装置（例えば、表示装置１、感知器２、及び受信機４等）との間で通信するための通信手段である。この通信部３１の具体的な種類や構成は任意であるが、例えば、表示装置１の通信部１１と同様にして構成することができる。
【００４２】
（構成−センター装置−記録部）
記録部３２は、センター装置３の動作に必要なプログラム及び各種のデータを記録する記録手段であり、例えば、設備情報データベース（以下、データベースを「ＤＢ」と称する）３２１、及び地図情報ＤＢ３２２を備える。
【００４３】
設備情報ＤＢ３２１は、設備情報を格納する設備情報格納手段である。「設備情報」とは、防災システム１００の各装置を特定する情報である。図３は、設備情報を例示した図である。図３に示すように、設備情報は、項目「設備特定情報」、項目「設備種別情報」、及び項目「設置場所情報」と、各項目に対応する情報とを、相互に関連付けて構成されている。ここで、項目「設備特定情報」に対応する情報は、設備を特定する情報である（図３では、表示装置ＩＤである「ＩＤ１１１」等、感知器ＩＤである「ＩＤ２１１」等、受信機４を一意に識別する受信機ＩＤである「ＩＤ４」）。また、項目「設備種別情報」に対応する情報は、設備の種別を特定する設備種別情報である（図３では、「感知器」等）。また、項目「設置場所情報」に対応する情報は、各設備の設置場所を特定する設置場所情報である（図３では、「南廊下西側」等）。そして、このような設備情報の格納手法は任意であるが、例えば、管理者が、センター装置３の不図示の入力手段、又は通信部３１を介してセンター装置３に入力することにより格納される。
【００４４】
地図情報ＤＢ３２２は、地図情報を格納する地図情報格納手段である。「地図情報」とは、防災システム１００の防災の対象である監視領域の地図を特定する情報であり、例えば、図１の建物の地図を特定する情報（例えば、壁、不図示の柱の位置、廊下等の任意の要素の位置又は寸法等を特定する情報）である。そして、このような地図情報の格納手法は任意であるが、例えば、設備情報と同様にして、管理者が、センター装置３の不図示の入力手段、又は通信部３１を介してセンター装置３に入力することにより格納される。
【００４５】
（構成−センター装置−制御部）
制御部３３は、センター装置３を制御する制御手段である。この制御部３３は、機能概念的に、発生位置特定部３３１、及び表示制御部３３２を備える。発生位置特定部３３１は、監視領域で異常が発生した場合に、当該異常の発生位置を特定する発生位置特定手段である。表示制御部３３２は、所定の状態になるまでは、第１画像として宣伝広告画像を表示装置１の表示部１３に表示させ、所定の状態になった場合に、防災に関連する第２画像として防災画像を表示装置１の表示部１３の少なくとも一部において第１画像である宣伝広告画像の代わりに表示させる表示制御手段であり、例えば、監視領域で異常である火災が発生した場合に所定の状態になったものとして、複数の表示装置１に表示される第２画像である防災画像を、複数の当該表示装置１が設けられている位置と、発生位置特定部３３１が特定した発生位置とに基づいて生成し、生成した第２画像である防災画像を表示させる表示制御手段である。なお、この制御部３３の各部により行われる処理については、後述する。
【００４６】
（処理）
次に、このように構成される防災システム１００によって実行される表示制御処理について説明する。図４は、表示制御処理のフローチャートである（以下の各処理の説明ではステップを「Ｓ」と略記する）。表示制御処理は、概略的には、センター装置３によって実行される処理であり、具体的には、表示装置１に表示されている画像を切り替える処理である。この表示制御処理を実行するタイミングは任意であるが、例えば、防災システム１００の各装置の電源をオンした後に実行を開始し、繰り返し実行するものとし、実行が開始されたところから説明する。図５は、宣伝広告画像を例示した図であり、図６は、第１防災画像を例示した図であり、図７は、第２防災画像を例示した図であり、図８は、火災が発生した場合の監視領域を示す図である。
【００４７】
なお、「第１防災画像」とは、前述の防災画像であり、例えば、複数の表示装置１のうちの、異常である火災が発生した発生位置の周辺の表示装置１に表示させる画像であり、例えば、図６の防災設備画像Ｇ１１、行動指針画像Ｇ１２、及び監視領域拡大画像Ｇ１３を含む画像である。なお、「防災設備画像」Ｇ１１とは、例えば、防災設備に表示される画像に対応する情報が少なくとも一部に含まれている画像であって、監視領域の防災設備を遠隔操作するための画像、監視領域で異常が発生した場合に監視領域の内部の対象者が行うべき事項を示す画像、及び異常を特定する画像に対応する画像である。また、「行動指針画像」Ｇ１２とは、監視領域で異常が発生した場合に監視領域の内部の対象者が行うべき事項を示す画像に対応する画像である。また、「監視領域拡大画像」Ｇ１３とは、監視領域の一部を拡大した画像であって、異常を特定する画像である。また、「第２防災画像」とは、前述の防災画像であり、例えば、複数の表示装置１のうちの、前述の第１防災画像を表示する表示装置１以外の表示装置１に表示させる画像であり、例えば、図７の防災設備画像Ｇ２１、及び監視領域全体画像Ｇ２２を含む画像である。なお、「監視領域全体画像」Ｇ２２とは、監視領域の全体の画像であって、異常を特定する画像、及び避難に関して特定する画像に対応する画像である。ここでは、例えば、第１防災画像を、火災の発生位置の周辺の表示装置１として当該発生位置に対する距離が最も近い表示装置１に表示し、また、第２防災画像を、当該距離が最も近い表示装置１以外に表示する場合について説明する。また、例えば、図８に示すように南廊下の東側寄りの位置の火源Ｆ１にて出火して火災が発生した場合を例示して説明する。
【００４８】
図４のＳＡ１において表示制御部３３２は、表示装置１の動作モードを第１モードに切り替えて、宣伝広告画像を表示させる。ここで、「動作モード」とは、表示装置１を動作させるモードであり、具体的には、表示装置１が動作する形式であり、例えば、第１モードと第２モードとを含む概念である。「第１モード」とは、表示装置１の動作モードであり、具体的には、第２モードに対して択一的に切り替えられる動作モードであり、例えば、所定の状態になるまでの動作モードであり、一例としては、宣伝広告画像を表示し、且つ、操作部１２が無効になっているモードである。「操作部１２が無効になっている」とは、タッチパッドである操作部１２を操作したとしても入力を受け付けない状態である。また、「第２モード」とは、表示装置１の動作モードであり、具体的には、第１モードに対して択一的に切り替えられる動作モードであり、例えば、所定の状態になった場合の動作モードであり、一例としては、防災画像を表示し、且つ、操作部１２が有効になっているモードである。「操作部１２が有効になっている」とは、タッチパッドである操作部１２を操作した場合に入力を受け付ける状態である。
【００４９】
このＳＡ１について具体的には任意であるが、表示制御部３３２は、例えば、図５の宣伝広告画像を含む複数の宣伝広告画像が記録部３２に格納されていることとし、適宜の通信により、この記録されている複数の宣伝広告画像を表示装置１に送信した上で、表示装置１を第１モードに切り替えて、表示装置１の表示部１３に表示させる。この場合、各表示装置１は、自己を第１モードに切り替えて、また、前述の複数の宣伝広告画像を受信して自己の記録部１４に格納し、この格納している複数の宣伝広告画像を、所定時間毎に切り替えて１つずつ自己の表示部１３に表示することになる。ここでは、例えば、図５の宣伝広告画像等が表示装置１１１〜１１７の表示部１３に順次表示されることになる。
【００５０】
図４のＳＡ２において制御部３３は、火災が発生したか否かを判定する。具体的には任意であるが、例えば、感知器２が、公知の手法で火災を検出した場合に、自己の感知器ＩＤを含む発報信号をセンター装置３に送信することとし、制御部３３は、通信部３１を監視してこの発報信号を受信したか否かに基づいて、火災が発生したか否かを判定する。なお、この発報信号については、受信機４にも送信されることになるが、この発報信号を受信した受信機４側の処理については、従来と同様であるので、詳細の説明を省略する。そして、発報信号を受信しなかった場合、火災を検出せずに、火災が発生していないものと判定し（ＳＡ２のＮＯ）、火災が発生したものと判定するまで、繰り返しＳＡ２を実行する。また、発報信号を受信した場合、火災を検出し、火災が発生したものと判定し（ＳＡ２のＹＥＳ）、ＳＡ３に移行する。ここでは、例えば、図８において、感知器２１２が火源Ｆ１からの煙により火災を検出（判定）し、自己の感知器ＩＤである「ＩＤ２１２」を含む発報信号を生成してセンター装置３に送信することになるが、この場合、制御部３３は、火災を検出し、火災が発生したものと判定する。
【００５１】
図４のＳＡ３において発生位置特定部３３１は、火災の発生位置を特定する。具体的には任意であるが、例えば、ＳＡ２で受信した発報信号の感知器ＩＤを取得し、図３の設備情報を参照して、この取得した感知器ＩＤに対応する設置場所情報を特定し、特定した設置場所情報に対応する位置を火災の発生位置として特定する。ここでは、例えば、ＳＡ２で受信した発報信号の感知器ＩＤとして「ＩＤ２１２」を取得し、図３の設備情報を参照して、この取得した「ＩＤ２１２」に対応する設置場所情報として「南廊下東側」を特定し、「南廊下東側」を火災の発生位置として特定する。なお、この場合、発報信号を受信した受信機４は、従来と同様にして、自己の不図示の表示手段（例えば、ディスプレイ）に、「火災発生  〇〇階  〇〇地区  南廊下東側」等の情報を表示し、また、自己の不図示の音響手段（例えば、スピカー）にて「感知器が火災を検出しました」等の警報を繰り返し音声出力する。
【００５２】
図４のＳＡ４において表示制御部３３２は、防災画像を生成する。具体的には任意であるが、例えば、各種テキスト又は画像情報（以下、表示情報）が記録部３２に記録されていることとして、これらの記録されている情報、ＳＡ３にて発生位置特定部３３１が特定した火災の発生位置、及び表示装置１が設けられている位置に基づいて、第１防災画像及び第２防災画像を生成する。
【００５３】
まず、第１防災画像について詳細には、例えば、図６に示すように、防災設備画像Ｇ１１、行動指針画像Ｇ１２、及び監視領域拡大画像Ｇ１３を生成するが、まず、防災設備画像Ｇ１１については、ＳＡ３で特定した火災の発生位置を取得し、取得した発生位置に基づく情報を含む画像を生成することにより、当該画像及び記録されている表示情報に基づいて、防災設備画像Ｇ１１を生成する。ここでは、例えば、取得した火災の発生位置に基づく情報として「南廊下東側」を含む防災設備画像Ｇ１１を生成する。また、行動指針画像Ｇ１２については、記録されている表示情報に基づいて、図６の行動指針画像Ｇ１２を生成する。また、監視領域拡大画像Ｇ１３については、ＳＡ２で受信した発報信号の感知器ＩＤ、及び図３の設備情報に基づいて、地図情報ＤＢ３２２の地図情報にて火災を検出した感知器２を特定し、当該地図情報における火災を検出した感知器２の周囲の拡大図の画像を生成し、また、当該火災を検出した感知器２に対応する位置に火災を検出したことを示す炎の画像を付し、また、表示装置１の現在位置（つまり、火災の発生位置に最も近い表示装置１）に対応する位置に現在位置画像を付し、監視領域拡大画像Ｇ１３を生成する。ここでは、例えば、表示装置１１２の監視領域拡大画像Ｇ１３として、図６の監視領域拡大画像Ｇ１３を生成する。このようにして、第１防災画像を生成する。
【００５４】
また、第２防災画像について詳細には、例えば、図７に示すように、防災設備画像Ｇ２１、及び監視領域全体画像Ｇ２２を生成するが、まず、防災設備画像Ｇ２１については、図６の防災設備画像Ｇ１１と同様にして生成する。また、監視領域全体画像Ｇ２２については、地図情報ＤＢ３２２の地図情報における全体の画像を生成し、また、監視領域拡大画像Ｇ１３の場合と同様にして、火災を検出したことを示す炎の画像を付し、また、表示装置１の現在位置（つまり、火災の発生位置に最も近い表示装置１以外の表示装置１の１つ）に対応する位置に現在位置画像を付し、また、現在位置画像に対応する位置から避難口への避難路を特定する避難路特定矢印画像を付し、監視領域全体画像Ｇ２２を生成する。なお、この監視領域全体画像Ｇ２２については、現在位置画像及び避難路特定矢印画像が表示装置１毎に異なっているので、各表示装置１（火災の発生位置に最も近い表示装置１以外の表示装置１各々）について生成する。ここでは、例えば、表示装置１１３の監視領域全体画像Ｇ２２として、図７の監視領域全体画像Ｇ２２を生成する。このようにして、火災の発生位置に最も近い表示装置１以外の表示装置１各々に対応する複数の第２防災画像を生成する。
【００５５】
図４のＳＡ５において表示制御部３３２は、表示装置１の動作モードを第２モードに切り替えて、防災画像を表示させる。具体的任意であるが、例えば、まず、ＳＡ３で特定した火災の発生位置を取得し、図２の設備情報、及び図１の地図情報ＤＢ３２２の地図情報を参照して、取得した火災の発生位置に最も近い表示装置１を特定し、適宜の通信により、この特定した火災の発生位置に最も近い表示装置１に、ＳＡ４で生成した第１防災画像を送信した上で、当該表示装置１を第２モードに切り替えて、表示装置１の表示部１３に表示させ、また、最も近い表示装置１以外の表示装置１に、ＳＡ４で生成した各表示装置１に対応する第２防災画像を送信した上で、当該表示装置１を第２モードに切り替えて、表示装置１の表示部１３に表示させる。この場合、各表示装置１は、自己を第２モードに切り替えて、また、センター装置３から送信されたが防災画像を自己の表示部１３に表示することになる。そして、この場合、タッチパネルとして構成されているタッチパッドである操作部１２における、図６及び図７の防災設備画像Ｇ１１、Ｇ２１の「はい」に対応する部分又は「いいえ」に対応する部分を押下操作した場合、操作入力を受け付けて、センター装置３を介して受信機４に電気信号が送信されて、受信機４を表示装置１側で制御（つまり、遠隔操作）することが可能となる。ここでは、例えば、「はい」に対応する部分が押下操作された場合、受信機４は、表示装置１からの電気信号を受信して、押下操作された表示装置１を前述の電気信号から特定し、特定した表示装置１を自己の表示手段に表示した上で、公知の手法（例えば、音声放送設備による館内非常放送や、自己の表示手段における非常情報の表示等）で火災発生のフロアにて火災警報を行う。また、例えば、「いいえ」に対応する部分が押下操作された場合、受信機４は、表示装置１からの電気信号を受信して、押下操作された表示装置１を前述の電気信号から特定し、特定した表示装置１を自己の表示手段し、当該表示手段では火災が発見されていない旨を表示することとする。なお、「いいえ」に対応する部分が押下操作された場合に、受信機４が、自己の音響手段（例えば、スピカー）にて繰り返し出力されている「感知器が火災を検出しました」等の警報を停止するように構成してもよい。そして、この「はい」及び「いいえ」の画像が受信機４の遠隔操作を行うための画像に相当する。
【００５６】
ここでは、例えば、まず、ＳＡ３で特定した火災の発生位置として「南廊下東側」を取得し、図２の設備情報、及び図１の地図情報ＤＢ３２２の地図情報を参照して、取得した火災の発生位置に最も近い表示装置１として表示装置１１２を特定し、適宜の通信により表示装置１１２に、ＳＡ４で生成した図６の第１防災画像を送信した上で、当該表示装置１１２を第２モードに切り替えて、表示装置１１２の表示部１３に表示させ、また、表示装置１１３に図７の第２防災画像を送信し、また、表示装置１１１、１１４〜１１７に、ＳＡ４で生成した図７と同様な第２防災画像（ただし、監視領域全体画像Ｇ２２については、各表示装置１に対応しているもの）を送信した上で、当該表示装置１１１、１１３〜１１７を第２モードに切り替えて、表示装置１１１、１１３〜１１７の表示部１３に表示させる。
【００５７】
この場合、図８の火源Ｆ１周辺の対象者Ｐ１は、例えば、当該火源Ｆ１周辺の表示装置１１２の図６の第１防災画像を視認することにより、自己が行うべき事項を認識することができ、火災に関する防災の初動を迅速且つ適格に行うことが可能となる。特に、火災を見つけた場合には、「はい」に対応する部分が押下操作することにより、受信機４側に火災を見つけたことを知らせることが可能となる。また、火源Ｆ１から離れている対象者Ｐ２は、表示装置１１３の図７の第２防災画像を視認することにより、火源Ｆ１の場所を認識して迅速に避難等することが可能となる。
【００５８】
図４のＳＡ６において制御部３３は、復旧したか否かを判定する。具体的には、任意であるが、例えば、消防隊が消火して受信機４に対する所定操作を行った場合に、当該受信機４が復旧信号をセンター装置３に送信することとし、制御部３３は、通信部３１を監視してこの復旧信号を受信したか否かに基づいて、復旧したか否かを判定する。そして、復旧信号を受信しなかった場合、復旧していないものと判定し（ＳＡ６のＮＯ）、復旧したものと判定するまで、繰り返しＳＡ６を実行する。また、復旧信号を受信した場合、復旧したものと判定し（ＳＡ６のＹＥＳ）、ＳＡ７に移行する。ここでは、例えば、図８において、火源Ｆ１の消防隊による初期消火が成功した後に、受信機４に対する所定操作を行って当該受信機４が復旧信号を送信した場合、復旧したものと判定する。
【００５９】
図４のＳＡ７において表示制御部３３２は、表示装置１の動作モードを第１モードに切り替えて、宣伝広告画像を表示させる。具体的には任意であるが、例えば、ＳＡ１と同様な処理を行って、第１モードに切り替えて、宣伝広告画像を表示させる。これにて、表示制御処理を終了する。なお、この表示制御処理は、前述したように、繰り返し実行されることになるが、繰り返し実行時のＳＡ１において、表示装置１の動作モードが第１モードに切り替えられており、表示装置１の表示部１３に宣伝広告画像が既に表示されている場合には、当該ＳＡ１の実行を省略してもよい。
【００６０】
（実施の形態の効果）
このように本実施の形態によれば、火災を検出するまで（所定の状態になるまで）は、宣伝広告画像を表示させ、火災を検出した（所定の状態になった）場合に、防災に関連する防災画像を表示させることにより、例えば、火災を検出した場合に防災画像にて防災性を向上させることができ、また、火災を検出するまでは防災に関連する情報以外の情報を宣伝広告画像にて表示することができるので、防災性を維持した状態で、対象者にあらゆる情報を提供することが可能となる。また、例えば、火災を検出するまでに宣伝広告等のユーザの注意を引き付ける画像を宣伝広告画像として表示させることにより、火災を検出
するまでの間に表示装置１の位置をユーザに意識させることができるので、火災を検出した場合に表示させる防災画像をユーザに確実に視認させることができ、防災性を向上させることが可能となる。
【００６１】
また、受信機４を遠隔操作するための画像を防災画像として表示させた場合に受信機４を遠隔操作可能となることにより、例えば、受信機４から離れた場所にて受信機４を操作することができるので、受信機４を迅速に操作することができるので、防災性を一層向上させることが可能となる。
【００６２】
また、監視領域で火災が発生した場合に監視領域の内部の対象者が行うべき事項を示す画像を防災画像として表示させることにより、例えば、火災が発生した場合に対象者が混乱してしまうことを防止することができるので、防災性を更に一層向上させることが可能となる。
【００６３】
また、防災画像を、複数の表示装置１が設けられている位置と、火災の発生位置とに基づいて生成し、生成した防災画像を表示させることにより、例えば、表示装置１の位置と火災の発生位置とを考慮して防災画像を生成することができるので、防災画像を適切に生成することができ、防災性を更に一層向上させることが可能となる。
【００６４】
〔実施の形態に対する変形例〕
以上、本発明に係る実施の形態について説明したが、本発明の具体的な構成及び手段は、特許請求の範囲に記載した各発明の技術的思想の範囲内において、任意に改変及び改良することができる。以下、このような変形例について説明する。
【００６５】
（解決しようとする課題や発明の効果について）
まず、発明が解決しようとする課題や発明の効果は、上述の内容に限定されるものではなく、発明の実施環境や構成の詳細に応じて異なる可能性があり、上述した課題の一部のみを解決したり、上述した効果の一部のみを奏したりすることがある。
【００６６】
（分散や統合について）
また、上述した構成は機能概念的なものであり、必ずしも物理的に図示の如く構成されていることを要しない。すなわち、各部の分散や統合の具体的形態は図示のものに限られず、その全部または一部を、任意の単位で機能的または物理的に分散又は統合して構成できる。また、本出願における「装置」とは、単一の装置によって構成されたものに限定されず、複数の装置によって構成されたものを含む。例えば、センター装置３を、相互に通信可能に構成された複数の装置に分散して構成し、これら複数の装置の一部に制御部３３の各部の一部を設けると共に、これら複数の装置の他の一部に制御部３３の各部の他の一部を設けてもよい。また、センター装置３に記録されている情報の少なくとも一部、あるいは、制御部３３の各部の少なくとも一部を防災システム１００の各表示装置１に設けてもよい。また、表示装置１を複数ではなく、１つのみ設けてもよい。
【００６７】
（防災画像について（その１））
また、上記実施の形態の図４のＳＡ５において、不図示の発信機を遠隔操作するための画像を、表示装置１に表示させて、当該画像により発信機を遠隔操作できるように構成してもよい。また、受信機４の表示画面を切り替える等の任意の操作を行うための画像を、表示装置１に表示させて、当該画像により受信機４を任意に遠隔操作できるように構成してもよい。
【００６８】
（防災画像について（その２））
また、上記実施の形態の図４のＳＡ５において、火災の発生位置に最も近い表示装置１については、監視領域拡大画像Ｇ１３に加えて監視領域全体画像Ｇ２２を表示させてもよい。表示態様は任意であり、当該２つの画像を相互に隣に並べて表示させてもよいし、一定時間間隔で交互に繰り返し表示してもよい。また、同様に、火災の発生位置に最も近い表示装置１以外の表示装置１については、監視領域全体画像Ｇ２２に加えて監視領域拡大画像Ｇ１３を表示させてもよい。また、火災の発生位置に最も近い表示装置１のみではなく、２番目又は３番目に近い表示装置１についても、第１防災画像を表示させ、これら以外については、第２防災画像を表示させてもよい。
【００６９】
（防災画像について（その３））
また、上記実施の形態において、監視領域の防災設備の操作手順を示す画像を、防災画像として生成して表示させてもよい。例えば、センター装置３が、感知器、受信機、発信機、消火器、消火栓、防災用の電話機、及びスプリンクラー等の任意の防災設備の操作手順の情報を記録部３２に格納しておき、この格納されている情報に基づいて防災設備の操作手順を示す画像を生成して表示させてもよい。詳細には、図３の設備情報において、発信機、消火器、消火栓、防災用の電話機、及びスプリンクラーの設置場所情報も格納した上で、当該設備情報を参照して、各防災設備に周辺の表示装置１を特定した上で、特定した表示装置１に対して自己の周辺の防災設備の操作手順を示す画像を表示させてもよい。例えば、感知器の警報音停止の操作手順を示す画像、受信機の火災断定の手順を示す画像、発信機において火災スイッチを押下することを示す画像、消火器の使い方を示す画像、消火栓の使い方を示す画像、防災用の電話機の使い方を示す画像、及びスプリンクラーの止め方を示す画像等を防災画像として表示させてもよい。このように構成した場合、監視領域の防災設備の操作手順を示す画像を第２画像として表示させることにより、例えば、防災設備をユーザに迅速且つ確実に操作させることができるので、防災性を一層向上させることが可能となる。
【００７０】
（防災画像について（その４））
また、上記実施の形態の図４のＳＡ５の防災画像の表示態様を任意に変更してもよい。例えば、実施の形態にて説明したように、宣伝広告画像全部の代わりに防災画像を表示してもよい（つまり、宣伝広告画像を消して防災画像を表示してもよい）が、宣伝広告画像の一部の代わりに防災画像を表示してもよい（つまり、宣伝広告画像の一部（例えば、右下の一部等）を消して、当該消した一部に防災画像を表示してもよい）。
【００７１】
（防災画像について（その５））
また、上記実施の形態の図４のＳＡ５において、防災画像を表示するタイミングを各表示装置１において相互に変えてもよい。例えば、感知器２が最初に火災を検出した場合には、当該火災を検出した感知器２に最も近い表示装置１にて任意の防災画像を表示させ、この後、公知の断定操作を行ったり又は公知の蓄積時間が経過したりして、火災断定が行われた場合に、他の表示装置１（未だ防災画像を表示していない表示装置１）において任意の防災画像を表示させてもよい。
【００７２】
（防災画像について（その６））
また、上記実施の形態の図４のＳＡ４及びＳＡ５において生成及び表示する図６及び図７の防災設備画像Ｇ１１、Ｇ２１については、受信機４が自己の表示手段に表示している画像を取得して、取得した画像を表示装置１側で表示してもよい。
【００７３】
（復旧画像について）
また、上記実施の形態の図４のＳＡ６にて復旧したものと判定しが場合（ＳＡ６のＹＥＳ）、復旧したことを示す画像を表示装置１にて表示した後に、ＳＡ７に移行してもよい。
【００７４】
（撮像部について）
また、上記実施の形態では、表示装置１に撮像部（例えば、監視領域を撮像するカメラの如き撮像手段）を設けて、撮像部の撮像結果に基づいて火災を判定したり、当該撮影部の撮像結果と発報信号との組み合わせにより火災を判定したりしてもよい。
【００７５】
（所定の状態について）
また、上記実施の形態では、「所定の状態」が「監視領域の異常を検出した場合（つまり、監視領域で異常が発生した場合）」である例を説明したが、「所定の状態」は、前述したように、任意の手法でユーザを認証した場合、であってもよい。
【００７６】
例えば、「所定の状態」が「任意の手法でユーザを認証した場合」である例については、任意の手法で情報を入力し、入力した情報に基づいて公知の手法にてユーザ認証を行って、認証が行われた場合にのみ、表示装置１の動作モードを第１モードから第２モードに切り替えて、防災画像を表示させてもよい。なお、情報入力については、表示装置１の第１モードでの操作部１２の機能を一部有効にした上で、当該操作部１２を介してセンター装置３側に入力してもよいし、あるいは、前述の「（撮像部について）」で説明した撮像部を介して画像情報をセンター装置３に入力してもよい。特に、画像情報を入力する場合については、ユーザの顔の画像を入力して顔認識により認証を行ってもよい。
【００７７】
（その他の機能について）
また、例えば、各表示装置１が、自己の周辺の対象者が保持している携帯端末（例えば、スマートフォン等）に近距離無線通信等の技術を用いて、宣伝広告画像又は防災画像に送信して、当該携帯端末上で当該画像を表示するように構成してもよい。このように構成した場合、対象者は、障害物等で表示装置１を視認し難い場合であっても、自己の携帯端末にて画像を視認することが可能となる。
【００７８】
また、例えば、実施の形態又は変形例に記載した各画像中の情報を音声出力してもよい。また、対象者が各表示装置１を視認した場合に、各表示装置１にて当該対象者について画像認識を行って、当該対象者の国籍を推定し、推定した国籍に対応する言語にて情報を出力してもよいし、あるいは、当該推定した国籍に対応する言語の情報を対象者の携帯端末に送信して表示してもよい。
【００７９】
また、例えば、火災発生を判定したことをトリガとして、表示装置１側と受信機４側との間でテレビ会話を行えるようにしてもよい。
【００８０】
（特徴について）
また、上記実施の形態の特徴及び変形例の特徴を任意に組合わせてもよい。
【００８１】
（付記）
付記１の表示システムは、監視領域の内部の対象者に視認させる画像を表示する表示面を備える表示手段であって、前記監視領域の内部に設けられている前記表示手段と、所定の状態になるまでは、第１画像を前記表示面に表示させ、前記所定の状態になった場合に、防災に関連する第２画像を前記表示面の少なくとも一部において前記第１画像の代わりに表示させる表示制御手段と、を備える。
【００８２】
付記２の表示システムは、付記１に記載の表示システムにおいて、前記表示制御手段は、前記監視領域の防災設備の操作手順を示す画像を前記第２画像として表示させる。
【００８３】
付記３の表示システムは、付記１又は２に記載の表示システムにおいて、前記表示制御手段は、前記監視領域の防災設備を遠隔操作するための画像を前記第２画像として表示させ、前記監視領域の防災設備を遠隔操作するための画像を前記第２画像として表示させた場合に、当該表示手段を介して前記監視領域の防災設備を遠隔操作可能となる。
【００８４】
付記４の表示システムは、付記１から３の何れか一項に記載の表示システムにおいて、前記表示制御手段は、前記監視領域で異常が発生した場合に前記所定の状態になったものとして、前記監視領域で異常が発生した場合に前記監視領域の内部の対象者が行うべき事項を示す画像を前記第２画像として表示させる。
【００８５】
付記５の表示システムは、付記１から４の何れか一項に記載の表示システムにおいて、前記表示手段は、前記監視領域の内部の複数の位置に設けられており、前記表示システムは、前記監視領域で異常が発生した場合に、当該異常の発生位置を特定する発生位置特定手段、を備え、前記表示制御手段は、前記監視領域で異常が発生した場合に前記所定の状態になったものとして、複数の前記表示手段に表示される前記第２画像を、複数の当該表示手段が設けられている位置と、前記発生位置特定手段が特定した前記発生位置とに基づいて生成し、生成した前記第２画像を表示させる。
【００８６】
（付記の効果）
付記１に記載の表示システムによれば、所定の状態になるまでは、第１画像を表示させ、所定の状態になった場合に、防災に関連する第２画像を表示させることにより、例えば、所定の状態になった場合に第２画像にて防災性を向上させることができ、また、所定の状態になるまでは防災に関連する情報以外の情報を第１画像にて表示することができるので、防災性を維持した状態で、対象者にあらゆる情報を提供することが可能となる。また、例えば、所定の状態になるまでに宣伝広告等のユーザの注意を引き付ける画像を第１画像として表示させることにより、所定の状態になるまでの間に表示手段の位置をユーザに意識させることができるので、所定の状態になった場合に表示させる第２画像をユーザに確実に視認させることができ、防災性を向上させることが可能となる。
【００８７】
付記２に記載の表示システムによれば、監視領域の防災設備の操作手順を示す画像を第２画像として表示させることにより、例えば、防災設備をユーザに迅速且つ確実に操作させることができるので、防災性を一層向上させることが可能となる。
【００８８】
付記３に記載の表示システムによれば、防災設備を遠隔操作するための画像を第２画像として表示させた場合に防災設備を遠隔操作可能となることにより、例えば、防災設備から離れた場所にて防災設備を操作することができるので、防災設備を迅速に操作することができるので、防災性を一層向上させることが可能となる。
【００８９】
付記４に記載の表示システムによれば、監視領域で異常が発生した場合に監視領域の内部の対象者が行うべき事項を示す画像を第２画像として表示させることにより、例えば、異常が発生した場合に対象者が混乱してしまうことを防止することができるので、防災性を更に一層向上させることが可能となる。
【００９０】
付記５に記載の表示システムによれば、第２画像を、複数の表示手段が設けられている位置と、異常の発生位置とに基づいて生成し、生成した第２画像を表示させることにより、例えば、表示手段の位置と異常の発生位置とを考慮して第２画像を生成することができるので、第２画像を適切に生成することができ、防災性を更に一層向上させることが可能となる。
【符号の説明】
【００９１】
１  表示装置
２  感知器
３  センター装置
４  受信機
１１  通信部
１２  操作部
１３  表示部
１４  記録部
１５  制御部
３１  通信部
３２  記録部
３３  制御部
１００  防災システム
１１１  表示装置
１１２  表示装置
１１３  表示装置
１１４  表示装置
１１５  表示装置
１１６  表示装置
１１７  表示装置
２１１  感知器
２１２  感知器
２１３  感知器
２１４  感知器
２１５  感知器
２１６  感知器
２１７  感知器
３２１  設備情報ＤＢ
３２２  地図情報ＤＢ
３３１  発生位置特定部
３３２  表示制御部
Ｆ１  火源
Ｇ１１  防災設備画像
Ｇ１２  行動指針画像
Ｇ１３  監視領域拡大画像
Ｇ２１  防災設備画像
Ｇ２２  監視領域全体画像
Ｐ１  対象者
Ｐ２  対象者
【図１】
2019079294.tif 000003
【図２】
2019079294.tif 000004
【図３】
2019079294.tif 000005
【図４】
2019079294.tif 000006
【図５】
2019079294.tif 000007
【図６】
2019079294.tif 000008
【図７】
2019079294.tif 000009
【図８】
2019079294.tif 000010